(57)【要約】【課題】  フラダンスで着用するスカートのゴム紐通しを能率的に行なう。【解決手段】  軸体４の基端に、ゴム紐２を保持するフック部５が突設され、フック部５は、ゴム紐２に突き刺し可能な針部54及び針部の先端をカバーするカバー部58を有している。針部54をゴム紐２に突き刺し、針部54の先端をカバー部58に隠す。  スカート１のゴム紐挿入路12の入口(12a)からゴム紐通し３を通して、ゴム紐２も一緒にゴム紐挿入路12に通す。【選択図】  図６
0003104207.tif 000002
【実用新案登録請求の範囲】
【請求項１】
先端が先細に形成された軸体(４)の基端に、ゴム紐(２)を保持するフック部(５)が突設され、フック部(５)は、ゴム紐(２)を突き刺し可能な針部(54)及び針部の先端をカバーするカバー部(58)を有しており、針部(54)は弾性変形させて先端尖り部をカバー部(58)から脱出可能であるゴム通し具。
【請求項２】
フック部(５)は、軸体(４)の基端に該軸体に対して方向変換可能に取り付けられている請求項１に記載のゴム通し具。
【請求項３】
軸体(４)は長さ１５cm〜３０cm程度、直径０.５cm〜１cm程度である請求項１又は２に記載のゴム紐通し具。
【請求項４】
フック部(５)の最大幅Ｗは、軸体(４)の直径程度である請求項１乃至３の何れかに記載のゴム紐通し具。
【請求項５】
フラダンスで着用するスカート(１)の複数のゴム紐挿入路(12)の数と同じ本数のゴム紐通し具(３)を１組とするゴム通しセット。
【考案の詳細な説明】
【技術分野】
【０００１】
本考案は、該スカートのウエスト部にゴム紐を通すためのゴム紐通し具及びその複数本を１組とするゴム通し具セットに関するものである。
【背景技術】
【０００２】
フラダンスで着用するスカート(以下「パウスカート」と呼ぶ)は、図１Ａに示す如く、矩形の布地の両端を縫い合わせて筒体(11)を形成し、該筒体(11)のウエスト部分に対応する一端を内側に広幅に折り込み、複数本の縫込み線(10)によって、複数条のゴム紐挿入路(12)(12)(12)を形成する。ゴム紐挿入路(12)の幅は２.５cm程度、隣り合うゴム紐挿入路(12)(12)の間隔は２cm程度とする。ゴム紐(２)は幅９mm程度の細帯状に形成され、表面は伸縮性の組紐カバー(図示せず)で覆われている。
各ゴム紐挿入路(12)に帯状のゴム紐(２)を通して、図１Ｂに示す如く、着用者のウェストサイズに合わせて絞り、絞ることによって下端側へギャザー(15)を形成するのである。
ゴム紐挿入路(12)へゴム紐(２)を通すには、図８に示す公知のゴム紐通し針(30)が使用されている。該ゴム紐通し針(30)は、一端が先細に形成され、他端の扁平部にゴム紐(２)を通す長孔(31)を開設しており、長さ５〜８cm程度である。
【考案の開示】
【考案が解決しようとする課題】
【０００３】
フラダンスの愛好家は、パウスカートを自作することが多い。従って、スカート製作に手慣れているとは言えず、スカート製作上、下記の問題がある。
前記筒体(11)の周長さは、３〜４ｍ程度と長いため、ゴム紐挿入路(12)にゴム紐(２)を通す際に、ゴム紐挿入路(12)とゴム紐(２)との摩擦抵抗が大きくなり、作業途中で、ゴム紐がゴム紐通し具針(30)の長孔(31)から滑り抜けてしまい、最初からやり直すことが多い。
ゴム紐(２)をゴム紐通し具針(30)の長孔(31)に通してから結べは、長孔(31)から外れることない。しかし、結び目がゴム紐挿入路(12)内で抵抗となってゴム紐通し具針(30)をスムーズに通すことが出来なくなる。又、ゴム紐挿入路(12)にゴム紐を通した後で、結び目を解かねば成らず、手間が掛かる。
【０００４】
又、複数のゴム紐挿入路(12)(12)(12)に順にゴム紐(２)を通して絞ると、各ゴム紐挿入路(12)(12)(12)で生じる皺の、溝と山の位置が揃わず、ウエスト部(16)から下側のギャザー(16)を美しく形成することが出来なかった。
本考案は、上記問題を解決するゴム紐通し具を提供するものである。
【課題を解決するための手段】
【０００５】
本考案のゴム通しは、先端が先細に形成された軸体(４)の基端に、ゴム紐(２)を保持するフック部(５)が突設され、フック部(５)は、ゴム紐(２)に突き刺し可能な針部(54)及び針部の先端をカバーするカバー部(58)を有しており、針部(54)は弾性変形させて先端がカバー部(58)から脱出可能であることを特徴とする。
【考案の効果】
【０００６】
針部(54)の先端をゴム紐(２)の端部に突き刺してから、針部(54)の先端をカバー部(58)に隠れる様に元位置に戻す。
パウスカート(１)のゴム紐挿入路(12)の入口(12a)へ、ゴム紐通し具(３)を軸体(４)の先端から挿入し、ゴム紐挿入路(12)の出口側へ押し込む。
この作業は、図６に示す如く、ゴム紐通し具(３)の基端部を作業者自身の腹部(７)に当て、両手でパウスカート(１)のウエスト部を掴み、矢印Ｘで示す様に、ウエスト部の布を腹部側に引き寄せる。引き寄せられた布は、ゴム紐通し具(３)上で皺を作る。
ゴム紐通し具(３)上で皺を作っている布を、軸体(４)の基端の外側に引っ張り出して、ゴム紐通し具(３)を紐挿入路(12)内に完全に挿入する。
ゴム紐通し具(３)の先端がゴム紐挿入路(12)の出口から突出して、ゴム紐通し具(３)をゴム紐挿入路(12)から引出し可能となるまで、前記動作を繰り返す。
【０００７】
ゴム紐通し具(３)のフック部(５)の針部(54)がゴム紐(２)を貫通してゴム紐(２)に引っ掛かっているため、前記ゴム紐通しの作業途中で、ゴムとゴム紐挿入路(12)との摩擦が大きくても、ゴム紐(２)がフック部(５)から外れる虞れはない。
又、フック部(５)の針部(54)先端は、カバー部(58)に隠れているため、危険はない。
【０００８】
図７に示す如く、パウスカート(１)のゴム紐挿入路(12)の数だけ、ゴム紐通し具(３)を準備し、前記手順によって、各ゴム紐挿入路(12)(12)(12)に同時にゴム紐(２)通せば、作業能率上がるのは勿論のこと、ゴム紐通し作業中、ウエスト部の布を腹部へ引き寄せた際に、各ゴム紐挿入路(12)(12)(12)の布が、ゴム紐通し具(３)(３)(３)の軸体(４)(４)(４)上で作る皺の山(13)(13)と溝(14)が、ゴム紐挿入路(12)の長手方向と直交する方向にほぼ一列に揃う。これによって、該皺によってパウスカート(１)裾部へ生じさせるギャザー(15)を美しく形成できることが分かった。
【考案を実施するための最良の形態】
【０００９】
図３は、本考案に係るゴム紐通し具(３)の一例を示している。
ゴム紐通し具(３)は、パウスカート(１)のゴム紐挿入路(12)への挿入案内の役割を成す軸体(４)と、該軸体の基端に突設されゴム紐(２)の端部を引っ掛けるフック部(５)とによって構成される。
ゴム紐挿入路(12)の全長、幅長さ、及びゴム紐(２)のサイズは、前述と同様とする。
【００１０】
軸体(４)は、長さ１５cm〜３０cm、直径０.５cm〜１cmであって、先端が先細に形成されている。実施例の軸体(４)は、長さ約２２cm、外径０.８cm、内径０.６cmの細筒体(41)の先端に、先端部材(42)を突設して形成される。先端部材(42)は円錐状であるが、先端は丸みがある。
軸体(４)は、布との滑りのよい合成樹脂によって形成されている。
軸体(４)の基端にフック部(５)を取り付けるための環部材(62)を突設する。
実施例では、釣りで用いる「サルカン」(「スイベル」とも呼ばれる)を軸体(４)に押し込み、サルカンの２つのリング部(61)(61)の内、一方のリング部(61)の略１／２程度を軸体(４)の基端から臨出させて環部材(62)としている。
サルカンは、軸体(４)の基端に充填されたホットメルト接着剤によって軸体(４)に固定されている。
【００１１】
図４に示す如く、フック部(５)は、金属線を屈曲して扁平に形成され、真直部(51)の一端に略３／４円弧の円弧部(52)を形成し、更に円弧部(52)から短く延長部(53)を設け、真直部(51)の他端はＶ字状に屈曲して屈曲端を符号(54a)で示す如く、真直部(51)と略平行に延ばして針部(54)を形成している。
円弧部(52)側にて、真直部(51)と延長部(53)に跨って金属板片(55)が被さり、図４において金属板片(55)の上端縁を、真直部(51)を包囲する様にかしめている。金属板片(55)の、下縁の内、円弧部(52)側半分は、延長部(53)を包囲してかしめており、針部(54)側半分は、断面Ｕ字状に曲げて、針部(54)の尖り部先端を受ける受け部(59)を形成している。該受け部(59)は、針先を外部に露出させないカバー部(58)を兼用している。
【００１２】
針部(54)はフリー状態では、図４の符号(54a)に示す如く、受け部(59)の外側に向いており、金属線を弾性変形させて符号(54b)で示す如く、受け部(59)より真直部(51)側へ押し込んでから受け部(59)内に嵌め込むことができる。
フック部(５)の最大幅Ｗは、ゴム紐挿入路(12)の幅より狭いのは勿論であり、実施例では軸体(４)の直径と同じ程度とする。
実施例のフック部(５)は、全長３cm、最大幅Ｗは０.８cmである。
フック部(５)の円弧部(52)が前記軸体(４)基端の環部(62)に嵌まっており、フック部(５)は、軸体(４)に対して自由に向きを変えることができる。
【００１３】
実施例では、パウスカート(１)の全てのゴム紐挿入路(12)(12)(12)に、同時にゴム紐(２)を通すことを想定して、ゴム紐挿入路(12)の数(実施例では３本)と同じ３本のゴム紐通し具(３)を１組のセットとする。セット毎に包装され、販売される。
【００１４】
然して、ゴム紐通し具(３)の針部(54)の先端を受け部(59)(カバー部)から脱出させてゴム紐(２)の端部に突き刺し、再び針部(54)の先端をカバー部(58)に隠れる様に元位置に戻す。
組になった全てのゴム紐通し具(３)にも同様にしてゴム紐(２)をセットする。
パウスカート(１)の各ゴム紐挿入路(12)の入口(12a)から、ゴム紐通し具(３)の軸体(４)を挿入する。
【００１５】
次に、図６に示す様に、ゴム紐通し具(３)の基端部を作業者自身の腹部(７)に当てる。フック部(５)は、軸体(４)基端の環部(62)で屈曲するから、環部(62)を含む軸体(４)の端面が腹部に当たる。
両手でパウスカート(１)のウエスト部を掴み、矢印Ｘで示す様に、ウエスト部の布を腹部側に引き寄せる。軸体(４)を滑って、ゴム紐挿入路(12)の布が手繰り寄せられて軸体(４)上で皺を形成する。各ゴム紐挿入路(12)(12)(12)は、同時に軸体(４)の基端側へ引き寄せられるため、図７に示す如く、各軸体(４)上で形成される皺の山(13)(13)(13)どうし、溝(14)(14)(14)どうしは、ゴム紐挿入路(12)の長手方向と直交する方向に略１列に揃う。
この様に、各軸体(４)上で形成されるゴム紐挿入路(12)の布に生じる皺の山(13)どうし、溝(14)どうしが、ゴム紐挿入路(12)の長手方向と直交する方向に１列に揃うと、理由は定かではないが、該皺によってパウスカート(１)裾部へ生じるギャザーを美しく形成できることが分かった。
【００１６】
上記の様に、両手でパウスカート(１)のウエスト部を掴み、腹部側へ引き寄せるとき、布と軸体(４)との摩擦によって、腹部(７)には環部(62)を含む環部(62)が食い込む力が作用する。しかし、軸体(４)は布との摩擦係数の小さい合成樹脂にて形成され、布との摩擦抵抗が小さいこと、軸体(４)は細筒体であるから適度なしなりがあること、又、軸体(４)は直径０.５cm〜１cmであって、従来のゴム紐通し針(30)の様に細くはないこと、によって軸体(４)自身が腹部への圧迫を緩和する作用がある。更に、環部(62)は丸みがあるため、環部(62)を含む軸体(４)の基端が、作業者の腹部(７)を多少押しても、痛みを感じさせることはない。
【００１７】
ゴム紐通し具(３)上の皺になった布を、軸体(４)の基端の外側に引っ張り出して、ゴム紐通し具(３)を紐挿入路(12)内に完全に挿入する。
ゴム紐通し具(３)の先端がゴム紐挿入路(12)の出口から突出して、ゴム紐通し具(３)をゴム紐挿入路(12)から引き出し可能となるまで、前記動作を繰り返せばよい。
ゴム紐通し具(３)の軸体(４)の長さが１５cm以下では、短か過ぎて扱い難く、又、軸体(４)上でゴム紐挿入路(12)の布を引き寄せて皺を作る作業の回数が増えて、ゴム紐通しの作業の能率が悪くなる。
軸体(４)の長さが３０cmを越えると、長過ぎて扱い難く、又、軸体(４)上で布を引き寄せたり、軸体(４)上で皺になった布を、軸体(４)の基端から外側に引っ張る際の抵抗が大きくなり過ぎて、ゴム紐通しの作業能率率が悪くなる。
【００１８】
ゴム紐通し具(３)のフック部(５)の針部(54)がゴム紐(２)を貫通して引っ掛かっているため、前記ゴム紐通しの作業途中で、ゴム紐(２)とゴム紐挿入路(12)との摩擦が大きくても、ゴム紐(２)がフック部(５)から外れる虞れはない。
又、フック部(５)の針部(54)先端は、カバー部(58)に隠れているため、危険はない。
【００１９】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００２０】
【図１】Ａ図は、上端に複数のゴム紐挿入路を有す布製の筒体の斜面図であり、Ｂ図は、完成パウスカートの斜面図である。
【図２】ゴム紐挿入路の入口とゴム紐の説明である。
【図３】本考案のゴム紐通を一部を断面で表した正面図である。
【図４】ゴム紐通しのフック部及び軸体基端の断面図である。
【図５】Ａ図は、図４Ａ−Ａ線に沿う端面図であり、Ｂ図は図４Ｂ−Ｂ線に沿う端面図である。
【図６】ゴム紐通しの手順の説明図である。
【図７】パウスカートのゴム紐通しの工程で、ウエスト部に皺が生じる状態を表す図である。
【図８】従来のゴム紐通し針の正面図である。
【符号の説明】
【００２１】
１  パウスカート
12  ゴム紐挿入路
２  ゴム紐
３  ゴム紐通し
４  軸体
５  フック部
54  針部
58  カバー部
【図１】
0003104207.tif 000003
【図２】
0003104207.tif 000004
【図３】
0003104207.tif 000005
【図４】
0003104207.tif 000006
【図５】
0003104207.tif 000007
【図６】
0003104207.tif 000008
【図７】
0003104207.tif 000009
【図８】
0003104207.tif 000010
【手続補正書】
【提出日】平成16年5月13日(2004.5.13)
【手続補正１】
【補正対象書類名】実用新案登録請求の範囲
【補正対象項目名】全文
【補正方法】変更
【補正の内容】
【実用新案登録請求の範囲】
【請求項１】
先端が先細に形成された軸体(４)の基端に、ゴム紐(２)を保持するフック部(５)が突設され、フック部(５)は、ゴム紐(２)を突き刺し可能な針部(54)及び針部の先端をカバーするカバー部(58)を有しており、針部(54)は弾性変形させて先端尖り部をカバー部(58)から脱出可能であるゴム通し具。
【請求項２】
フック部(５)は、軸体(４)の基端に該軸体に対して方向変換可能に取り付けられている請求項１に記載のゴム通し具。
【請求項３】
軸体(４)は長さ１５cm〜３０cm程度、直径０.５cm〜１cm程度である請求項１又は２に記載のゴム紐通し具。
【請求項４】
フック部(５)の最大幅Ｗは、軸体(４)の直径程度である請求項１乃至３の何れかに記載のゴム紐通し具。
【請求項５】
フラダンスで着用するスカート(１)の複数のゴム紐挿入路(12)の数と同じ本数の請求項１乃至４の何れかに記載のゴム紐通し具(３)を１組とするゴム通しセット。
【手続補正２】
【補正対象書類名】明細書
【補正対象項目名】全文
【補正方法】変更
【補正の内容】
【考案の詳細な説明】
【技術分野】
【０００１】
本考案は、該スカートのウエスト部にゴム紐を通すためのゴム紐通し具及びその複数本を１組とするゴム通し具セットに関するものである。
【背景技術】
【０００２】
フラダンスで着用するスカート(以下「パウスカート」と呼ぶ)は、図１Ａに示す如く、矩形の布地の両端を縫い合わせて筒体(11)を形成し、該筒体(11)のウエスト部分に対応する一端を内側に広幅に折り込み、複数本の縫込み線(10)によって、複数条のゴム紐挿入路(12)(12)(12)を形成する。ゴム紐挿入路(12)の幅は２.５cm程度、隣り合うゴム紐挿入路(12)(12)の間隔は２cm程度とする。ゴム紐(２)は幅９mm程度の細帯状に形成され、表面は伸縮性の組紐カバー(図示せず)で覆われている。
各ゴム紐挿入路(12)に帯状のゴム紐(２)を通して、図１Ｂに示す如く、着用者のウェストサイズに合わせて絞り、絞ることによって下端側へギャザー(15)を形成するのである。
ゴム紐挿入路(12)へゴム紐(２)を通すには、図８に示す公知のゴム紐通し針(30)が使用されている。該ゴム紐通し針(30)は、一端が先細に形成され、他端の扁平部にゴム紐(２)を通す長孔(31)を開設しており、長さ５〜８cm程度である。
【考案の開示】
【考案が解決しようとする課題】
【０００３】
フラダンスの愛好家は、パウスカートを自作することが多い。従って、スカート製作に手慣れているとは言えず、スカート製作上、下記の問題がある。
前記筒体(11)の周長さは、３〜４ｍ程度と長いため、ゴム紐挿入路(12)にゴム紐(２)を通す際に、ゴム紐挿入路(12)とゴム紐(２)との摩擦抵抗が大きくなり、作業途中で、ゴム紐がゴム紐通し針(30)の長孔(31)から滑り抜けてしまい、最初からやり直すことが多い。
ゴム紐(２)をゴム紐通し針(30)の長孔(31)に通してから結ぶと、長孔(31)から外れることない。しかし、結び目がゴム紐挿入路(12)内で抵抗となってゴム紐通し針(30)をスムーズに通すことが出来なくなる。又、ゴム紐挿入路(12)にゴム紐を通した後で、結び目を解かねば成らず、手間が掛かる。
【０００４】
又、複数のゴム紐挿入路(12)(12)(12)に順にゴム紐(２)を通して絞ると、各ゴム紐挿入路(12)(12)(12)で生じる皺の、溝と山の位置が揃わず、ウエスト部(16)から下側のギャザー(16)を美しく形成することが出来なかった。
本考案は、上記問題を解決するゴム紐通し具を提供するものである。
【課題を解決するための手段】
【０００５】
本考案のゴム通し具は、先端が先細に形成された軸体(４)の基端に、ゴム紐(２)を保持するフック部(５)が突設され、フック部(５)は、ゴム紐(２)に突き刺し可能な針部(54)及び針部の先端をカバーするカバー部(58)を有しており、針部(54)は弾性変形させて先端がカバー部(58)から脱出可能であることを特徴とする。
【考案の効果】
【０００６】
針部(54)の先端をゴム紐(２)の端部に突き刺してから、針部(54)の先端をカバー部(58)に隠れる様に元位置に戻す。
パウスカート(１)のゴム紐挿入路(12)の入口(12a)へ、ゴム紐通し具(３)を軸体(４)の
先端から挿入し、ゴム紐挿入路(12)の出口側へ押し込む。
この作業は、図６に示す如く、ゴム紐通し具(３)の基端部を作業者自身の腹部(７)に当
て、両手でパウスカート(１)のウエスト部を掴み、矢印Ｘで示す様に、ウエスト部の布を腹部側に引き寄せる。引き寄せられた布は、ゴム紐通し具(３)上で皺を作る。
ゴム紐通し具(３)上で皺を作っている布を、軸体(４)の基端の外側に引っ張り出して、ゴム紐通し具(３)を紐挿入路(12)内に完全に挿入する。
ゴム紐通し具(３)の先端がゴム紐挿入路(12)の出口から突出して、ゴム紐通し具(３)をゴム紐挿入路(12)から引出し可能となるまで、前記動作を繰り返す。
【０００７】
ゴム紐通し具(３)のフック部(５)の針部(54)がゴム紐(２)を貫通してゴム紐(２)に引っ掛かっているため、前記ゴム紐通しの作業途中で、ゴムとゴム紐挿入路(12)との摩擦が大きくても、ゴム紐(２)がフック部(５)から外れる虞れはない。
又、フック部(５)の針部(54)先端は、カバー部(58)に隠れているため、危険はない。
【０００８】
図７に示す如く、パウスカート(１)のゴム紐挿入路(12)の数だけ、ゴム紐通し具(３)を準備し、前記手順によって、各ゴム紐挿入路(12)(12)(12)に同時にゴム紐(２)通せば、作業能率が上がるのは勿論のこと、ゴム紐通し作業中、ウエスト部の布を腹部へ引き寄せた際に、各ゴム紐挿入路(12)(12)(12)の布が、ゴム紐通し具(３)(３)(３)の軸体(４)(４)(４)上で作る皺の山(13)(13)と溝(14)が、ゴム紐挿入路(12)の長手方向と直交する方向にほぼ一列に揃う。これによって、該皺によってパウスカート(１)裾部へ生じさせるギャザー(15)を美しく形成できることが分かった。
【考案を実施するための最良の形態】
【０００９】
図３は、本考案に係るゴム紐通し具(３)の一例を示している。
ゴム紐通し具(３)は、パウスカート(１)のゴム紐挿入路(12)への挿入案内の役割を成す軸体(４)と、該軸体の基端に突設されゴム紐(２)の端部を引っ掛けるフック部(５)とによって構成される。
ゴム紐挿入路(12)の全長、幅長さ、及びゴム紐(２)のサイズは、前述と同様とする。
【００１０】
軸体(４)は、長さ１５cm〜３０cm、直径０.５cm〜１cmであって、先端が先細に形成さ
れている。実施例の軸体(４)は、長さ約２２cm、外径０.８cm、内径０.６cmの細筒体(41)の先端に、先端部材(42)を突設して形成される。先端部材(42)は円錐状であるが、先端は丸みがある。
軸体(４)は、布との滑りのよい合成樹脂によって形成されている。
軸体(４)の基端にフック部(５)を取り付けるための環部材(62)を突設する。
実施例では、釣りで用いる「サルカン」(「スイベル」とも呼ばれる)を軸体(４)に押し込み、サルカンの２つのリング部(61)(61)の内、一方のリング部(61)の略１／２程度を軸体(４)の基端から臨出させて環部材(62)としている。
サルカンは、軸体(４)の基端に充填されたホットメルト接着剤によって軸体(４)に固定されている。
【００１１】
図４に示す如く、フック部(５)は、金属線を屈曲して扁平に形成され、真直部(51)の一端に略３／４円弧の円弧部(52)を形成し、更に円弧部(52)から短く延長部(53)を設け、真直部(51)の他端はＶ字状に屈曲して屈曲端を符号(54a)で示す如く、真直部(51)と略平行
に延ばして針部(54)を形成している。
円弧部(52)側にて、真直部(51)と延長部(53)に跨って金属板片(55)が被さり、図４において金属板片(55)の上端縁を、真直部(51)を包囲する様にかしめている。金属板片(55)の下縁の内、円弧部(52)側半分は、延長部(53)を包囲してかしめており、針部(54)側半分は、断面Ｕ字状に曲げて、針部(54)の尖り部先端を受ける受け部(59)を形成している。該受け部(59)は、針先を外部に露出させないカバー部(58)を兼用している。
【００１２】
針部(54)はフリー状態では、図４の符号(54a)に示す如く、受け部(59)の外側に向いており、金属線を弾性変形させて符号(54b)で示す如く、受け部(59)より真直部(51)側へ押し込んでから受け部(59)内に嵌め込むことができる。
フック部(５)の最大幅Ｗは、ゴム紐挿入路(12)の幅より狭いのは勿論であり、実施例では軸体(４)の直径と同じ程度とする。
実施例のフック部(５)は、全長３cm、最大幅Ｗは０.８cmである。
フック部(５)の円弧部(52)が前記軸体(４)基端の環部(62)に嵌まっており、フック部(５)は、軸体(４)に対して自由に向きを変えることができる。
【００１３】
実施例では、パウスカート(１)の全てのゴム紐挿入路(12)(12)(12)に、同時にゴム紐(２)を通すことを想定して、ゴム紐挿入路(12)の数(実施例では３本)と同じ３本のゴム紐通し具(３)を１組のセットとする。セット毎に包装され、販売される。
【００１４】
然して、ゴム紐通し具(３)の針部(54)の先端を受け部(59)(カバー部)から脱出させてゴム紐(２)の端部に突き刺し、再び針部(54)の先端をカバー部(58)に隠れる様に元位置に戻す。
組になった全てのゴム紐通し具(３)にも同様にしてゴム紐(２)をセットする。
パウスカート(１)の各ゴム紐挿入路(12)の入口(12a)から、ゴム紐通し具(３)の軸体(４)を挿入する。
【００１５】
次に、図６に示す様に、ゴム紐通し具(３)の基端部を作業者自身の腹部(７)に当てる。フック部(５)は、軸体(４)基端の環部(62)で屈曲するから、環部(62)を含む軸体(４)の端面が腹部に当たる。
両手でパウスカート(１)のウエスト部を掴み、矢印Ｘで示す様に、ウエスト部の布を腹部側に引き寄せる。軸体(４)を滑って、ゴム紐挿入路(12)の布が手繰り寄せられて軸体(
４)上で皺を形成する。各ゴム紐挿入路(12)(12)(12)は、同時に軸体(４)の基端側へ引き
寄せられるため、図７に示す如く、各軸体(４)上で形成される皺の山(13)(13)(13)どうし、溝(14)(14)(14)どうしは、ゴム紐挿入路(12)の長手方向と直交する方向に略１列に揃う。
この様に、各軸体(４)上で形成されるゴム紐挿入路(12)の布に生じる皺の山(13)どうし、溝(14)どうしが、ゴム紐挿入路(12)の長手方向と直交する方向に１列に揃うと、理由は定かではないが、該皺によってパウスカート(１)裾部へ生じるギャザーを美しく形成できることが分かった。
【００１６】
上記の様に、両手でパウスカート(１)のウエスト部を掴み、腹部側へ引き寄せるとき、布と軸体(４)との摩擦によって、腹部(７)には環部(62)を含む環部(62)が食い込む力が作用する。しかし、軸体(４)は布との摩擦係数の小さい合成樹脂にて形成され、布との摩擦抵抗が小さいこと、軸体(４)は細筒体であるから適度なしなりがあること、又、軸体(４)は直径０.５cm〜１cmであって、従来のゴム紐通し針(30)の様に細くはないこと、によっ
て軸体(４)自身が腹部への圧迫を緩和する作用がある。更に、環部(62)は丸みがあるため、環部(62)を含む軸体(４)の基端が、作業者の腹部(７)を多少押しても、痛みを感じさせることはない。
【００１７】
ゴム紐通し具(３)上の皺になった布を、軸体(４)の基端の外側に引っ張り出して、ゴム紐通し具(３)を紐挿入路(12)内に完全に挿入する。
ゴム紐通し具(３)の先端がゴム紐挿入路(12)の出口から突出して、ゴム紐通し具(３)をゴム紐挿入路(12)から引き出し可能となるまで、前記動作を繰り返せばよい。
ゴム紐通し具(３)の軸体(４)の長さが１５cm以下では、短か過ぎて扱い難く、又、軸体(４)上でゴム紐挿入路(12)の布を引き寄せて皺を作る作業の回数が増えて、ゴム紐通しの作業の能率が悪くなる。
軸体(４)の長さが３０cmを越えると、長過ぎて扱い難く、又、軸体(４)上で布を引き寄
せたり、軸体(４)上で皺になった布を、軸体(４)の基端から外側に引っ張る際の抵抗が大きくなり過ぎて、ゴム紐通しの作業能率率が悪くなる。
【００１８】
ゴム紐通し具(３)のフック部(５)の針部(54)がゴム紐(２)を貫通して引っ掛かっているため、前記ゴム紐通しの作業途中で、ゴム紐(２)とゴム紐挿入路(12)との摩擦が大きくても、ゴム紐(２)がフック部(５)から外れる虞れはない。
又、フック部(５)の針部(54)先端は、カバー部(58)に隠れているため、危険はない。
【００１９】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００２０】
【図１】Ａ図は、上端に複数のゴム紐挿入路を有す布製の筒体の斜面図であり、Ｂ図は、完成パウスカートの斜面図である。
【図２】ゴム紐挿入路の入口とゴム紐の説明である。
【図３】本考案のゴム紐通を一部を断面で表した正面図である。
【図４】ゴム紐通しのフック部及び軸体基端の断面図である。
【図５】Ａ図は、図４Ａ−Ａ線に沿う端面図であり、Ｂ図は図４Ｂ−Ｂ線に沿う端面図である。
【図６】ゴム紐通しの手順の説明図である。
【図７】パウスカートのゴム紐通しの工程で、ウエスト部に皺が生じる状態を表す図である。
【図８】従来のゴム紐通し針の正面図である。
【符号の説明】
【００２１】
１ パウスカート
12 ゴム紐挿入路
２ ゴム紐
３ ゴム紐通し具
４  軸体
５  フック部
54  針部
58  カバー部
【手続補正３】
【補正対象書類名】図面
【補正対象項目名】図６
【補正方法】変更
【補正の内容】
【図６】
0003104207.tif 000011